(57)【要約】【課題】熱破壊式電力切断スイッチ及び該スイッチを備えたコンセントの提供。【解決手段】本発明の熱破壊式電力切断スイッチ及び該スイッチを備えたコンセントは、該熱破壊式電力切断スイッチが、第１導電部材と、第２導電部材と、可動導電部材と、過熱破壊部材と、操作ユニットと、第２弾性部材を含み、該可動導電部材が該第１導電部材と第２導電部材を導通させ、該操作ユニットが操作部材と、第１弾性部材を有し、該第２弾性部材が該操作部材に作用し、該過熱破壊部材が規制部材に当接され、第１ばねが接触部材と該過熱破壊部材の間で圧縮されて第１弾性力を有し、該第２弾性部材が第２弾性力を有し、該過熱破壊部材が過熱により破壊されると、該第１弾性力が該第２弾性力より小さくなり、該可動導電部材が第１導電部材と第２導電部材の導通を切断し、過熱保護の効果を達する。該コンセントは該熱破壊式電力切断スイッチを含む。【選択図】図１
2020009737.tif 000002
【特許請求の範囲】
【請求項１】
熱破壊式電力切断スイッチであって、座体と、第１導電部材と、第２導電部材と、可動導電部材と、過熱破壊部材と、操作ユニットと、第２弾性部材を含み、
該座体が収納空間を備え、
該第１導電部材が該座体に穿置され、
該第２導電部材が該座体に穿置され、
該可動導電部材が該収納空間内に設置され、該第１導電部材に電気的に接続され、かつ該第２導電部材に選択的に接続され、
該過熱破壊部材が、破壊温度下で破壊され、該破壊温度が１００℃〜２５０℃であり、
該操作ユニットが該座体に組み込まれ、操作部材と、第１弾性部材を含み、該操作部材が接触部材と、規制部材を含み、該接触部材が該可動導電部材に接触し、該過熱破壊部材が該規制部材に当接され、該第１弾性部材が該接触部材と該過熱破壊部材の間で圧縮されて規制され、第１弾性力を有し、
該第２弾性部材が第２弾性力を有し、該第２弾性力が該操作部材に作用し、
該操作部材が第１位置にあるとき、該第１弾性力が該接触部材に該可動導電部材を押圧させ、該可動導電部材を該第２導電部材に接触させて通電状態を形成し、該通電状態下で、電流が該第１導電部材、該可動導電部材、該第２導電部材を通過して熱エネルギーを生成し、該熱エネルギーが該接触部材、該第１弾性部材を介して該過熱破壊部材に伝達され、該過熱破壊部材が該熱エネルギーを吸収して、該破壊温度下で破壊され、それにより該第１弾性力が小さくなるか失われ、このとき該第２弾性力が該第１弾性力より大きくなり、該第２弾性力が該操作部材を第２位置まで移動させ、それにより該可動導電部材が該第２導電部材を離脱して電力切断状態が形成されることを特徴とする、熱破壊式電力切断スイッチ。
【請求項２】
前記第２弾性部材がばねであることを特徴とする、請求項１に記載の熱破壊式電力切断スイッチ。
【請求項３】
前記第１導電部材と該第２導電部材の排列方向を縦方向と定義し、該操作部材が該縦方向上に一定長さを備え、該第１弾性部材が該長さの中央位置に設置され、該第２弾性部材の該長さにおける設置位置と、該中央位置の間には一定の距離があることを特徴とする、請求項１に記載の熱破壊式電力切断スイッチ。
【請求項４】
前記可動導電部材がロッキング導電部材であり、該ロッキング導電部材が該第１導電部材に跨設され、該接触部材が該ロッキング導電部材上で摺動し、シーソーのような運動形態で該ロッキング導電部材と該第２導電部材が接触または分離されることを特徴とする、請求項１に記載の熱破壊式電力切断スイッチ。
【請求項５】
前記操作部材に枢着点が設けられ、該枢着点が該座体に枢着され、該操作部材が該枢着点を軸心として一定限度内で往復枢動することを特徴とする、請求項１に記載の熱破壊式電力切断スイッチ。
【請求項６】
前記操作部材がさらに中心筒と、内筒を含み、該中心筒の該可動導電部材から遠い一端に貫通孔が設けられ、該規制部材が該貫通孔の周縁に設置され、該中心筒が該内筒に緊密に被着され、該内筒が貫通状の収容空間を備え、該第１弾性部材が該収容空間内に設置され、該収容空間の二端にそれぞれ第１開口と第２開口が設けられ、該接触部材の一部が該収容空間に挿入され、該接触部材の一部が該第１開口から突出され、該貫通孔の径幅が該第１弾性部材の径幅より大きいことを特徴とする、請求項１に記載の熱破壊式電力切断スイッチ。
【請求項７】
前記接触部材が空心状を呈する熱伝導ハウジングであり、該熱伝導ハウジングが開口端と弧形の接触端を含み、該接触端が該可動導電部材に接触し、かつ該第１弾性部材の一端が該開口端内に挿入されることを特徴とする、請求項１に記載の熱破壊式電力切断スイッチ。
【請求項８】
前記過熱破壊部材が、円形片体、柱体、帽子状体、ブロック体、球体、不規則体または放射状片体であることを特徴とする、請求項１に記載の熱破壊式電力切断スイッチ。
【請求項９】
前記可動導電部材がカンチレバー導電部材であり、該第２弾性部材がばね片であり、該第１導電部材、該ばね片、該カンチレバー導電部材の三者が一体成形されたことを特徴とする、請求項１に記載の熱破壊式電力切断スイッチ。
【請求項１０】
前記座体に突出部が設けられ、該操作部材が該突出部に被せて設置され、該操作部材が該突出部で一定限度内の往復移動をすることを特徴とする、請求項９に記載の熱破壊式電力切断スイッチ。
【請求項１１】
前記接触部材が支持熱伝導部材であり、該支持熱伝導部材が位置規制柱と支持座部を備え、該位置規制柱が該第１弾性部材の一端に挿入され、該支持座部が該カンチレバー導電部材に接触することを特徴とする、請求項９に記載の熱破壊式電力切断スイッチ。
【請求項１２】
前記操作部材がさらに中心筒と、内筒を含み、該中心筒の該カンチレバー導電部材から遠い一端に貫通孔が設けられ、該規制部材が該貫通孔の周縁に設置され、該中心筒が該内筒に緊密に被着され、該内筒が貫通状の収容空間を備え、該第１弾性部材が該収容空間内に設置され、該収容空間の二端にそれぞれ第１開口と第２開口が設けられ、該貫通孔の径幅が該第１弾性部材の径幅より大きいことを特徴とする、請求項９に記載の熱破壊式電力切断スイッチ。
【請求項１３】
スイッチを備えたコンセントであって、請求項１乃至１２のいずれかに記載された熱破壊式電力切断スイッチ、活線差込片、活線導電部材、中性線導電部材、ハウジングを含み、そのうち、
該ハウジングが活線差込口と、中性線差込口を含み、
該活線差込片が該第２導電部材に電気的に接続され、該活線差込片が該活線差込口に対応する活線差込部を含み、
該活線導電部材が活線連接端を含み、該活線連接端が該第１導電部材に電気的に接続され、
該中性線導電部材が該中性線差込口に対応する中性線差込部を含む、ことを特徴とする、スイッチを備えたコンセント。
【請求項１４】
前記熱破壊式電力切断スイッチが複数であり、該活線差込口が複数であり、該活線差込片が複数であり、各活線差込片が各該第２導電部材にそれぞれ単独で電気的に接続され、該活線導電部材が複数の活線連接端を含み、各活線連接端が各該第１導電部材に電気的に接続され、該中性線差込口が複数であり、該中性線差込部が複数であり、すべての該中性線差込部が該中性線導電部材に接続されたことを特徴とする、請求項１３に記載のスイッチを備えたコンセント。
【発明の詳細な説明】
【技術分野】
【０００１】
本発明は熱破壊式電力切断スイッチ及び該スイッチを備えたコンセントに関し、特に、ヒューズ及びバイメタルの切断構造とは異なり、電流の通過に依存することなく破壊を実行できる過熱破壊部材であって、熱エネルギーの伝達を通じて破壊を実行し、スイッチに導通を切断させる、熱破壊式電力切断スイッチ及び該スイッチを備えたコンセントに関する。
【背景技術】
【０００２】
従来のロッカースイッチは、制御スイッチを一定の角度範囲内で往復枢動させることで、スイッチの接続または切断を制御しており、例えば、中華民国特許第５６０６９０号「切替スイッチの火花遮蔽構造」は、スイッチの枢動時に位置決め部材を利用して第１位置または第２位置にスイッチを位置決めすることで、接続または切断を形成している。
【０００３】
従来の押しボタンスイッチは、毎回の押圧操作でスイッチの接続と切断を反復制御することができ、ボタンには従来の自動ボールペンの往復ボタンに似た構造を利用し、該スイッチのボタンを押すたびに下方位置または上方位置に位置決めしており、一例として中国特許第ＣＮ１０３４４１０１９号の「ボタンスイッチ」がある。
【０００４】
中華民国特許第３２１３５２号の「ワイヤ上スイッチ構造の改良」はヒューズを備えたスイッチ構造を開示しているが、該ヒューズが電源活線の経路中に配置されているため、保護作用が電流の通過に依存しており、特に過負荷の電流でやっと該ヒューズを切断させることができるもので、ヒューズの動作時に電流を通過させる必要があり、一方で電流が過大のときのみヒューズの切断が可能であるため、往々にして低融点の鉛錫合金、亜鉛を使用してヒューズとするが、その導電性は銅にはるかに及ばない。延長コンセントを例とすると、延長コンセントは主に銅を導電体として使用するが、延長コンセントに中華民国特許第３２１３５２号のスイッチを組み合わせて電源を制御する場合、ヒューズの導電率が優れず、エネルギー消費の問題が生じやすい。
【０００５】
中華民国特許第Ｍ３８２５６８号の「双極自動切断式安全スイッチ」は、バイメタル型の過負荷保護スイッチを開示しているが、バイメタルは同様に電流が通過する経路中に配置する必要があり、電流の通過によって変形を生じ、特に過負荷の電流でやっと該バイメタルを変形させて電気回路を中断させることができる。
【０００６】
中華民国特許第Ｍ２５０４０３号の「グループ式コンセントに用いる過負荷保護スイッチの構造」は、延長コンセントに応用した過負荷保護スイッチを開示しており、該特許の過負荷保護スイッチにはバイメタルが設置され、延長コンセント全体の総仕事率が超過したとき、該バイメタルが熱で変形して自動的にトリップし、電気を遮断して保護の作用を達成する。しかしながら、該バイメタルの過負荷保護作用は電流の通過に依存する必要があり、バイメタルの導電率は銅にはるかに及ばないため、エネルギー消費の問題が生じやすい。
【０００７】
また、電流の過負荷で過熱が引き起こされるほか、延長コンセントを例とすると、次の状況でいずれも任意のコンセントの過熱が発生する可能性がある。
【０００８】
１. プラグの金属刃が重度に酸化し、金属刃が酸化物に覆われると、プラグをコンセントに差し込んだとき、導電性が悪い酸化物によって抵抗が大きくなり、コンセントが過熱する。
【０００９】
２. プラグの金属刃をコンセントに差し込んだとき、差込みが不十分で、局部のみの接触となり、過小な接触面積がコンセントの過熱につながる。
【００１０】
３. プラグの金属刃が変形または摩損し、コンセントに差し込んだときの接触が不完全となり、過小な接触面積によってコンセントの過熱が引き起こされる。
【００１１】
４. プラグの金属刃またはコンセントの金属片に異物（埃や汚れなど）が付着し、導電性が悪くなり、抵抗が大きくなって過熱する。
【００１２】
上述の状況下では、コンセントの動作温度と過負荷保護スイッチの動作温度に大きな落差が生じる。
【００１３】
発明者は、米国特許出願第ＵＳ９６９８５４２号の「Ａｓｓｅｍｂｌｙ  ａｎｄ  ｍｅｔｈｏｄ  ｏｆ  ｐｌｕｒａｌ  ｃｏｎｄｕｃｔｉｖｅ  ｓｌｏｔｓ  ｓｈａｒｉｎｇ  ａｎ  ｏｖｅｒｈｅａｔｉｎｇ  ｄｅｓｔｒｕｃｔｉｖｅ  ｆｉｘｉｎｇ  ｅｌｅｍｅｎｔ」において、銅片の距離と温度の差異の実験を開示しており、ＵＳ９６９８５４２号特許出願のＴＡＢＬＥ ２の試験では、上述の過熱したコンセントがＴＡＢＬＥ ２の実験の位置１０に位置し、上述の過負荷保護スイッチがTABLE ２の実験の位置１に位置する場合、両者間の距離は９センチであり、コンセントの動作温度が２０２.９℃に達し、２５分経過後、過負荷保護スイッチの動作温度はわずか１１０.７℃であったことが分かった。つまり、コンセントと過負荷保護スイッチ間の距離が９センチのとき、コンセントの動作温度がすでに過熱して２０２.９℃に達し、燃焼事故が起こる可能性があるとき、過負荷保護スイッチのバイメタルはまだ１１０.７℃で、変形の温度に達しておらず、過負荷保護スイッチは自動的にトリップして電気を遮断しない。
【００１４】
コンセントに過熱を生じる状況はさまざまであり、かつコンセントと過負荷保護スイッチのバイメタルの距離によって極めて大きな温度差が生じるため、効果的に過熱保護を達成するには、延長コンセントの各コンセント上に過負荷保護スイッチのバイメタルを設置すべきであるが、バイメタル型の過負荷保護スイッチは価格が比較的高く、延長コンセントの各コンセントすべてに設置する場合、価格の大幅な上昇を免れず、逆に普及使用に不利となる。
【先行技術文献】
【特許文献】
【００１５】
【特許文献１】中華民国特許第５６０６９０号明細書
【特許文献２】中国特許第ＣＮ１０３４４１０１９号明細書
【特許文献３】中華民国特許第３２１３５２号明細書
【特許文献４】中華民国特許第Ｍ３８２５６８号明細書
【特許文献５】中華民国特許第Ｍ２５０４０３号明細書
【特許文献６】米国特許出願第ＵＳ９６９８５４２号明細書
【発明の概要】
【発明が解決しようとする課題】
【００１６】
現在使用されている延長コンセントとそのスイッチを鑑みると、それぞれ上述のような欠点があるため、本発明の目的は、それらの欠点を改善できる、熱破壊式電力切断スイッチ及び該スイッチを備えたコンセントを提供することにある。
【課題を解決するための手段】
【００１７】
本発明の熱破壊式電力切断スイッチは、座体と、第１導電部材と、第２導電部材と、可動導電部材と、過熱破壊部材と、操作ユニットと、第２弾性部材を含み、該座体が収納空間を備え、該第１導電部材が該座体に穿置され、該第２導電部材が該座体に穿置され、該可動導電部材が該収納空間内に設置され、該第１導電部材に電気的に接続され、かつ該第２導電部材に選択的に接続され、該過熱破壊部材が、破壊温度下で破壊され、該破壊温度が１００℃〜２５０℃であり、該操作ユニットが該座体に組み込まれ、操作部材と、第１弾性部材を含み、該操作部材が接触部材と、規制部材を含み、該接触部材が該可動導電部材に接触し、該過熱破壊部材が該規制部材に当接され、該第１弾性部材が該接触部材と該過熱破壊部材の間で圧縮されて規制され、第１弾性力を有し、該第２弾性部材が第２弾性力を有し、該第２弾性力が該操作部材に作用し、該操作部材が第１位置にあるとき、該第１弾性力が該接触部材に該可動導電部材を押圧させ、該可動導電部材を該第２導電部材に接触させて通電状態を形成し、該通電状態下で、電流が該第１導電部材、該可動導電部材、該第２導電部材を通過して熱エネルギーを生成し、該熱エネルギーが該接触部材、該第１弾性部材を介して該過熱破壊部材に伝達され、該過熱破壊部材が該熱エネルギーを吸収して、該破壊温度下で破壊され、それにより該第１弾性力が小さくなるか失われ、このとき該第２弾性力が該第１弾性力より大きくなり、該第２弾性力が該操作部材を第２位置まで移動させ、それにより該可動導電部材が該第２導電部材を離脱して電力切断状態が形成される。
【００１８】
前記第２弾性部材はばねである。
【００１９】
前記第１導電部材と該第２導電部材の排列方向を縦方向と定義し、該操作部材が該縦方向上に一定長さを備え、該第１弾性部材が該長さの中央位置に設置され、該第２弾性部材の該長さにおける設置位置と、該中央位置の間には一定の距離がある。
【００２０】
前記可動導電部材はロッキング導電部材であり、該ロッキング導電部材が該第１導電部材に跨設され、該接触部材が該ロッキング導電部材上で摺動し、該ロッキング導電部材をシーソーのような運動形態で該第２導電部材と接触または分離させる。
【００２１】
前記操作部材に枢着点が設けられ、該枢着点が該座体に枢着され、該操作部材が該枢着点を軸心として一定限度内で往復枢動する。
【００２２】
前記操作部材がさらに中心筒と、内筒を含み、該中心筒の該可動導電部材から遠い一端に貫通孔が設けられ、該規制部材が該貫通孔の周縁に設置され、該中心筒が該内筒に緊密に被着され、該内筒が貫通状の収容空間を備え、該第１弾性部材が該収容空間内に設置され、該収容空間の二端にそれぞれ第１開口と第２開口が設けられ、該接触部材の一部が該収容空間に挿入され、該接触部材の一部が該第１開口から突出され、該貫通孔の径幅が該第１弾性部材の径幅より大きい。
【００２３】
前記接触部材が空心状を呈する熱伝導ハウジングであり、該熱伝導ハウジングが開口端と弧形の接触端を含み、該接触端が該可動導電部材に接触し、かつ該第１弾性部材の一端が該開口端内に挿入される。
【００２４】
前記過熱破壊部材は、円形片体、柱体、帽子状体、ブロック体、球体、不規則体または放射状片体とすることができる。
【００２５】
前記可動導電部材がカンチレバー導電部材であり、該第２弾性部材はばね片であり、該第１導電部材、該ばね片、該カンチレバー導電部材の三者が一体成形される。
【００２６】
前記座体に突出部が設けられ、該操作部材が該突出部に被せて設置され、該操作部材が該突出部で一定限度内の往復移動をする。
【００２７】
前記接触部材が支持熱伝導部材であり、該支持熱伝導部材が位置規制柱と支持座部を備え、該位置規制柱が該第１弾性部材の一端に挿入され、該支持座部が該カンチレバー導電部材に接触する。
【００２８】
前記操作部材がさらに中心筒と、内筒を含み、該中心筒の該カンチレバー導電部材から遠い一端に貫通孔が設けられ、該規制部材が該貫通孔の周縁に設置され、該中心筒が該内筒に緊密に被着され、該内筒が貫通状の収容空間を備え、該第１弾性部材が該収容空間内に設置され、該収容空間の二端にそれぞれ第１開口と第２開口が設けられ、該貫通孔の径幅が該第１弾性部材の径幅より大きい。
【００２９】
本発明のスイッチを備えたコンセントは、上述の熱破壊式電力切断スイッチ、活線差込片、活線導電部材、中性線導電部材、ハウジングを含み、そのうち、該ハウジングが活線差込口と、中性線差込口を含み、該活線差込片が該第２導電部材に電気的に接続され、該活線差込片が該活線差込口に対応する活線差込部を含み、該活線導電部材が活線連接端を含み、該活線連接端が該第１導電部材に電気的に接続され、該中性線導電部材が該中性線差込口に対応する中性線差込部を含む。
【００３０】
前記熱破壊式電力切断スイッチが複数であり、該活線差込口が複数であり、該活線差込片が複数であり、各活線差込片が各該第２導電部材にそれぞれ電気的に接続され、該活線導電部材が複数の活線連接端を含み、各活線連接端が各該第１導電部材に電気的に接続され、該中性線差込口が複数であり、該中性線差込部が複数であり、すべての該中性線差込部が該中性線導電部材に接続される。
【発明の効果】
【００３１】
上述の技術的特徴には次のような利点がある。
【００３２】
１.過熱破壊部材が電流伝達経路上になく、電流の伝達を担わないため、本発明を電器製品や延長コンセントに使用したとき、過熱破壊部材の導電性が銅に及ばなくても、電器や延長コンセントの電力性能に直接影響しない。
【００３３】
２.全体構造が簡単で製造しやすく、スイッチの体積が明らかに増加することもなく、かつ製造コストが比較的低く、既知のロッカースイッチ、押しボタンスイッチ、その他スイッチに実施しやすい。
【００３４】
３.体積が小さくコストが低いため、延長コードのスイッチでの応用に適しており、延長コードの各コンセントにそれぞれ１つ熱破壊式電力切断スイッチを配置すれば、各スイッチに対応する各コンセント差込口の使用時における安全性が確約される。これにより従来のバイメタルの価格が高く、複数のコンセント差込口で１つの過負荷保護スイッチを共用しなければならない欠点を改善することができる。かつ、過負荷保護スイッチから距離が比較的遠いコンセント差込口がすでに過熱していて温度上昇が起こっていても、過負荷保護スイッチがトリップ温度に達していないためトリップしない現象が発生しない。
【図面の簡単な説明】
【００３５】
【図１】本発明の実施例１を示す断面図であり、ロッカースイッチの構造及び該ロッカースイッチがオフの位置にあることを示す。
【図２】本発明の実施例１を示す断面図であり、該ロッカースイッチがオンの位置にあることを示す。
【図３】本発明の実施例１を示す断面図であり、該過熱破壊部材が過熱により破壊されると、該可動導電部材が該第２導電部材を離脱し、該ロッカースイッチがオンの位置からオフの位置に戻り、電力切断を形成することを示す。
【図４】本発明の実施例２を示す断面図であり、押しボタンスイッチの構造及び該押しボタンスイッチがオフの位置にあることを示す。
【図５】本発明の実施例２を示す断面図であり、該押しボタンスイッチがオンの位置にあることを示す。
【図６】本発明の実施例２を示す断面図であり、該過熱破壊部材が過熱により破壊されると、該可動導電部材が該第２導電部材を離脱して電力切断を形成することを示す。
【図７】本発明の実施例３の熱破壊式電力切断スイッチを延長コンセントに用いた立体分解図である。
【図８】本発明の実施例３の熱破壊式電力切断スイッチを延長コンセントに用いた構造透視図である。
【発明を実施するための形態】
【００３６】
上述の技術的特徴を総合し、本発明のコンセントとその熱破壊式電力切断スイッチの主な効果について、以下で実施例を挙げて詳しく説明する。
【実施例１】
【００３７】
本発明の実施例１を図１に示す。本実施例は熱破壊式電力切断スイッチであり、かつ本実施例においてはロッカースイッチであり、図１に該ロッカースイッチがオフの状態を示す。該ロッカースイッチは、座体１Ａと、第１導電部材２Ａ及び第２導電部材３Ａと、可動導電部材と、過熱破壊部材５Ａを含む。
【００３８】
該座体１Ａは収納空間１１Ａを備えている。
【００３９】
該第１導電部材２Ａ及び第２導電部材３Ａはいずれも該座体１Ａに穿置される。
【００４０】
該可動導電部材は該収納空間１１Ａ内に設置され、該可動導電部材がロッキング導電部材４Ａであり、該ロッキング導電部材４Ａが該第１導電部材２Ａに跨設され、該第１導電部材２Ａに電気的に接続される。
【００４１】
該過熱破壊部材５Ａは、破壊温度下で破壊され、該破壊温度が１００℃〜２５０℃であり、該過熱破壊部材５Ａは電流の持続的供給を維持するために用いるものではないため、例えばプラスチックなどの絶縁材料を選択して用いることができ、または非絶縁材料の低融点の合金を選択して用いることもできる。そのうち低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、例えば錫ビスマス合金の融点は約１３８℃である。本実施例において、該過熱破壊部材５Ａは円形片体として設けられるが、その他例えば柱体、帽子状体、ブロック体、球体、不規則体または放射状片体等も実施可能な実施例である。
【００４２】
動作温度が異常に上昇した場合、活線回路を切断することが最善であるため、該第１導電部材Ａ２が使用上活線第１端、該第２導電部材３Ａが使用上活線第２端となっており、該ロッキング導電部材４Ａにより該第１導電部材２Ａと第２導電部材３Ａを導通させて、活線回路を形成する。
【００４３】
本実施例の該ロッカースイッチはさらに、操作ユニット６Ａを備え、該ロッキング導電部材４Ａを操作して該第１導電部材２Ａと該第２導電部材３Ａを連通させ、活線回路を形成するか、或いは該第１導電部材２Ａと該第２導電部材３Ａの導通を切断し、活線に切断を形成する。該操作ユニット６Ａは該座体１Ａ上に組み込まれ、操作部材６１Ａと第１弾性部材６２Ａを含み、該操作部材６１Ａに枢着点６１１Ａが設けられ、該枢着点６１１Ａが該座体１Ａに枢着され、該枢着点６１１Ａを軸心として該操作部材６１Ａに一定限度内で往復枢動させることができる。該操作部材６１Ａはさらに、接触部材と、中心筒６１０Ａと、内筒６１４Ａと、規制部材６１２Ａを含み、該接触部材が空心状を呈する熱伝導ハウジング６１３Ａであり、該熱伝導ハウジング６１３Ａが開口端６１３１Ａと弧形の接触端６１３２Ａを含み、該熱伝導ハウジング６１３Ａの該接触端６１３２Ａが該ロッキング導電部材４Ａに接触し、該中心筒６１０Ａの該ロッキング導電部材４Ａから遠い一端に貫通孔６１５Ａが設けられ、該規制部材６１２Ａが該貫通孔６１５Ａの周縁に設置される。該中心筒６１０Ａが該内筒６１４Ａに緊密に被着され、該内筒６１４Ａが貫通状の収容空間６１４１Ａを備え、該第１弾性部材６２Ａが該収容空間６１４１Ａ内に設置され、該収容空間６１４１Ａの二端にそれぞれ第１開口６１４２Ａと第２開口６１４３Ａが設けられ、該熱伝導ハウジング６１３Ａの一部が該収容空間６１４１Ａに挿入され、また該熱伝導ハウジング６１３Ａの一部が該第１開口６１４２Ａから突出される。該貫通孔６１５Ａの径幅は該第１弾性部材６２Ａの径幅より大きい。該第１弾性部材６２Ａの一端が該熱伝導ハウジング６１３Ａの該開口端６１３１Ａ内に挿入され、該過熱破壊部材５Ａが該規制部材６１２Ａに当接され、該第１弾性部材６２Ａが該熱伝導ハウジング６１３Ａと該過熱破壊部材５Ａの間で圧縮されて規制され、第１弾性力を具備する。
【００４４】
本実施例のロッカースイッチはさらに第２弾性部材７Ａを備え、該第２弾性部材７Ａは本実施例においてばねであり、該第２弾性部材７Ａは第２弾性力を備え、該第２弾性力が該操作部材６１Ａに作用する。
【００４５】
図２に示すように、使用者が該操作部材６１Ａを操作して該枢着点６１１Ａの周りを枢動させ、該熱伝導ハウジング６１３Ａを該ロッキング導電部材４Ａ上で摺動させると、該ロッキング導電部材４Ａにシーソーのような運動形態で該第２導電部材３Ａと選択的に接触または分離させることができる。該熱伝導ハウジング６１３Ａが該ロッキング導電部材４Ａ上で該ロッキング導電部材４Ａ上の銀接点４１Ａの方向に摺動すると、該第１弾性力が該銀接点４１Ａを該第２導電部材３Ａに接触させて、通電状態を形成する。
【００４６】
図３に示すように、第１導電部材２Ａまたは第２導電部材３Ａに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等の現象があると、コンセントの導電部位に比較的大きな熱エネルギーが発生し、該熱エネルギーが第１導電部材２Ａまたは第２導電部材３Ａを介してロッキング導電部材４Ａに伝達され、さらに該熱伝導ハウジング６１３Ａ、該第１弾性部材６２Ａを介して該過熱破壊部材５Ａに伝達され、該過熱破壊部材５Ａが該熱エネルギーを吸収して徐々にその材料の融点に達し、このとき該過熱破壊部材５Ａが徐々に剛性を失い始める。例えば該過熱破壊部材５Ａの材質が錫ビスマス合金である場合、その融点は１３８℃であるが、融点に近づくときに剛性が失われ始め、同時に該第１弾性力の作用下で、該過熱破壊部材５Ａが該第１弾性部材６２Ａの圧迫を受けて変形し、さらには破壊される。本実施例において、図１に示した元々の過熱破壊部材５Ａが破壊・変形されると、過熱破壊部材５Ａが図３に示す形状となり、即ち過熱破壊部材５Ａが２つの部分に分断され、該第１弾性部材６２Ａが該過熱破壊部材５Ａを貫通して該貫通孔６１５Ａから突出され、それにより該第１弾性力が小さくなるか失われて、このとき該第２弾性力が該第１弾性力より大きくなる。本実施例において、前記第１導電部材２Ａと該第２導電部材３Ａの排列方向を縦方向と定義し、該操作部材６１Ａが該縦方向上に一定長さを備え、該第１弾性部材６２Ａが該長さの中央位置に設置され、該第２弾性部材７Ａの該長さにおける設置位置と、該中央位置の間には一定の距離がある。このため、該第２弾性力が該第１弾性力より大きくなると、該操作部材６１Ａがトルクの作用で、該枢着点６１１Ａを軸心として枢動され、該熱伝導ハウジング６１３Ａを動かして該ロッキング導電部材４Ａ上で摺動させ、該操作部材６１Ａがオフの位置に移動されるため、該ロッキング導電部材４Ａの銀接点４１Ａが該第２導電部材３Ａを離脱し、電力の切断状態が形成され、これにより過熱保護作用が達成される。
【実施例２】
【００４７】
本発明の実施例２を図４に示す。本実施例は熱破壊式電力切断スイッチであり、かつ本実施例においては押しボタンスイッチであり、図４に該押しボタンスイッチがオフの状態を示す。該押しボタンスイッチは、座体１Ｂと、第１導電部材２Ｂ及び第２導電部材３Ｂと、可動導電部材と、過熱破壊部材５Ｂを含む。
【００４８】
該座体１Ｂが収納空間１１Ｂと、突出部１２Ｂを備えている。
【００４９】
該第１導電部材２Ｂ及び第２導電部材３Ｂはいずれも該座体１Ｂに穿置される。
【００５０】
該可動導電部材が該収納空間１１Ｂ内に設置され、該可動導電部材はカンチレバー導電部材４Ｂである。
【００５１】
該過熱破壊部材５Ｂは、破壊温度下で破壊され、該破壊温度が１００℃〜２５０℃であり、該過熱破壊部材５Ｂは電流の持続的供給を維持するために用いるものではないため、例えばプラスチックなどの絶縁材料を選択して用いることができ、または非絶縁材料の低融点の合金を選択して用いることもできる。低融点の合金は、ビスマスとカドミウム、インジウム、銀、錫、鉛、アンチモン、銅のうちのいずれかまたは複数を組み合わせた合金とすることができ、またはその他融点が１００℃〜２５０℃の間の低融点金属または合金としてもよく、例えば錫ビスマス合金の融点は約１３８℃である。本実施例において、該過熱破壊部材５Ｂは円形片体として設けられるが、その他例えば棒体、帽子状体、放射状片体、ブロック体、球体または不規則体等も実施可能な実施例である。
【００５２】
動作温度が異常に上昇した場合、活線回路を切断することが最善であるため、該第１導電部材２Ｂが使用上活線第１端、該第２導電部材３Ｂが使用上活線第２端となっており、該カンチレバー導電部材４Ｂにより該第１導電部材２Ｂと第２導電部材３Ｂを導通させて、活線回路を形成する。
【００５３】
本実施例の該押しボタンスイッチはさらに操作ユニット６Ｂを備え、(該カンチレバー導電部材４Ｂを操作して、該第１導電部材２Ｂと該第２導電部材３Ｂを連通させ、活線回路を形成するか、或いは該第１導電部材２Ｂと該第２導電部材３Ｂの導通を切断し、活線に切断を形成する。該操作ユニット６Ｂは該座体１Ｂに組み込まれ、操作部材６１Ｂと、第１弾性部材６２Ｂを含み、該操作部材６１Ｂが該突出部１２Ｂに被せて設置され、該操作部材６１Ｂは該突出部１２Ｂ上で一定限度内の往復移動をすることができる。操作ユニット６Ｂ全体の往復移動と位置決め構造は従来の自動ボールペンの押しボタン構造または先行技術で述べた中国特許第CN１０３４４１０１９号の「ボタンスイッチ」の構造と同じであるため、本実施例の図面では従来の位置決め構造を一部省略し、表示していない。該操作部材６１Ｂはさらに接触部材と、中心筒６１０Ｂと、内筒６１４Ｂと、規制部材６１２Ｂを含む。該中心筒６１０Ｂの該カンチレバー導電部材４Ｂから遠い一端に貫通孔６１５Ｂが設けられ、該規制部材６１２Ｂが該貫通孔６１５Ｂの周縁に設置され、該中心筒６１０Ｂが該内筒６１４Ｂに緊密に被着され、該内筒６１４Ｂが貫通状の収容空間６１４１Ｂを備え、該第１弾性部材６２Ｂが該収容空間内６１４１Ｂに設置され、該収容空間６１４１Ｂの二端にそれぞれ第１開口６１４２Ｂと第２開口６１４３Ｂが設けられる。該接触部材は支持熱伝導部材６１３Ｂであり、該支持熱伝導部材６１３Ｂは該第１開口６１４２Ｂに接近している。該貫通孔６１５Ｂの径幅は該第１弾性部材６２Ｂの径幅より大きい。該支持熱伝導部材６１３Ｂは位置規制柱６１３１Ｂと、支持座部６１３２Ｂを備え、該位置規制柱６１３１Ｂが該第１弾性部材６２Ｂの一端に挿入され、該第１弾性部材６２Ｂを該支持座部６１３２Ｂ上に当接させ、該支持座部６１３２Ｂが該カンチレバー導電部材４Ｂに接触する。該過熱破壊部材５Ｂが該規制部材６１２Ｂに当接され、該第１弾性部材６２Ｂが該支持熱伝導部材６１３Ｂと該過熱破壊部材５Ｂの間で圧縮されて規制され、第１弾性力を具備する。
【００５４】
本実施例の該押しボタンスイッチはさらに第２弾性部材を備え、該第２弾性部材はばね片７Ｂであり、かつ該第１導電部材２Ｂ、該ばね片７Ｂ、該カンチレバー導電部材４Ｂの三者が一体成形されており、該ばね片７Ｂが第２弾性力を有し、該第２弾性力は該操作部材６１Ｂに作用する。
【００５５】
図５に示すように、使用者は自動ボールペンのボタンのように、該操作部材６１Ｂを操作して該突出部１２Ｂに相対して移動させることで、該カンチレバー導電部材４Ｂと該第２導電部材３Ｂを選択的に接触または分離させる。該操作部材６１Ｂがカンチレバー導電部材４Ｂに向かって移動され、位置決めされると、該支持熱伝導部材６１３Ｂの支持座部６１３１Ｂによって該カンチレバー導電部材４Ｂが押圧されて銀接点４１Ｂの位置が近づき、該カンチレバー導電部材４Ｂが該第２導電部材３Ｂに接触して通電状態が形成される。同時に、該第１弾性部材６２Ｂがさらに圧縮され、該第１弾性力が大きくなり、このとき該第１弾性力が該第２弾性力より大きくなる。
【００５６】
図６に示すように、第１導電部材２Ｂまたは第２導電部材３Ｂに接続された外部導電設備に異常な状態が発生したとき、例えば外部導電設備がコンセントである場合、プラグの金属刃とコンセントの間に酸化物や埃がある、金属刃の挿入が不完全である、金属刃が変形している等があると、コンセントの導電部位に比較的大きな熱エネルギーが発生し、該熱エネルギーが第１導電部材２Ｂまたは第２導電部材３Ｂを介してカンチレバー導電部材４Ｂに伝達され、さらに該支持熱伝導部材６１３Ｂの支持座部６１３２Ｂ、位置規制柱６１３１Ｂと該第１弾性部材６２Ｂを介して該過熱破壊部材５Ｂに伝達され、該過熱破壊部材５Ｂが該熱エネルギーを吸収して徐々にその材料の融点に達し、このとき該過熱破壊部材５Ｂが徐々に剛性を失い始める。例えば該過熱破壊部材５Ｂの材質が錫ビスマス合金である場合、その融点は１３８℃であるが、融点に近づくときに剛性が失われ始め、同時に該第１弾性力の作用下で、該過熱破壊部材５Ｂが該第１弾性部材６２Ｂの圧迫を受けて変形し、さらには破壊されて、該第１弾性部材６２Ｂを規制できなくなる。本実施例において、図４に示した元々の過熱破壊部材５Ｂが破壊・変形されると、過熱破壊部材５Ｂが図６に示す形状となり、即ち過熱破壊部材５Ｂが２つの部分に分断され、該第１弾性部材６２Ｂが該過熱破壊部材５Ｂを貫通して該貫通孔６１５Ｂから突出され、それにより該第１弾性力が小さくなるか失われて、このとき該第２弾性力が該第１弾性力より大きくなるため、該カンチレバー導電部材４Ｂが元の位置を回復し、該カンチレバー導電部材４Ｂの銀接点４１Ｂが該第２導電部材３Ｂを離脱して電力切断状態が形成され、これにより過熱保護作用が達成される。
【実施例３】
【００５７】
図７と図８に本発明の実施例３を示す。本実施例は前述の実施例の熱破壊式電力切断ロッカースイッチを３組のコンセント差込口８１を含む延長コンセントに応用したもので、該延長コンセントが、ハウジング８と、活線導電部材９と、中性線導電部材１０と、３つの過熱破壊スイッチ２０を含む。
【００５８】
該ハウジング８が、上ハウジング８Ａと、下ハウジング８Bを有し、該上ハウジング８Ａが３組のコンセント差込口８１を含み、各コンセント差込口８１が活線差込口８１１と、中性線差込口８１２を含む。
【００５９】
該活線導電部材９は該ハウジング８に設置され、該活線導電部材９に、独立した３つの活線差込片９１に対応する３つの活線連接端９２が間隔をあけて設けられ、各活線差込片９１が活線差込部９１１を含み、かつ該活線差込部９１１が該活線差込口８１１に対応している。
【００６０】
該中性線導電部材１０は該ハウジング８に設置され、該中性線導電部材１０に、３つの中性線差込部１０１が間隔をあけて設けられ、かつ各中性線差込部１０１が該中性線差込口８１２に対応している。
【００６１】
該３つの熱破壊式電力切断スイッチ２０は、前述の実施例１から実施例２で述べたとおりであり、そのうち、該熱破壊式電力切断スイッチ２０の第１導電部材２０１が該活線導電部材９の活線連接端９２または該活線差込片９１に連接され、該第２導電部材２０２が該活線差込片９１または該活線導電部材９の活線連接端９２に連接される。本実施例は該第１導電部材２０１が該活線差込片９１に連接され、該第２導電部材２０２が該活線導電部材９の活線連接端９２に連接された例である（この部分の連接の特徴はすでに実施例１から実施例２で説明済みであるため、ここでは説明を省略する）。これにより、該延長コンセントのいずれかの活線差込片９１の動作温度が異常に高くなったとき、熱エネルギーが第１導電部材２０１または第２導電部材２０２から所属する該熱破壊式電力切断スイッチ２０に伝達され、該熱破壊式電力切断スイッチ２０が過熱によって電気回路を切断し、電源供給が停止され、このとき温度異常が発生した該活線差込片９１はすぐに電源を終止し、動作温度の上昇が継続されず、動作温度を下げることができる。各熱破壊式電力切断スイッチ２０が独立して１組の活線差込口８１１と中性線差込口８１２を制御するため、いずれか１組の熱破壊式電力切断スイッチ２０が過熱で電気回路を切断しても、その他の組の活線差込口８１１と中性線差込口８１２は正常な使用を継続することができる。
【００６２】
上述の実施例の説明を総合すると、本発明の操作、使用及び本発明の効果について充分に理解することができる。以上の実施例は、本発明の最良の実施例に基づくものであり、これらを以って本発明の実施の範囲を限定することはできず、本発明の特許請求の範囲及び明細書の内容に基づいた同等効果の簡単な変化や修飾はすべて本発明の範囲内に含まれる。
【符号の説明】
【００６３】
１Ａ  座体
１１Ａ  収納空間
２Ａ  第１導電部材
３Ａ  第２導電部材
４Ａ  ロッキング導電部材
４１Ａ  銀接点
５Ａ  過熱破壊部材
６Ａ  操作ユニット
６１Ａ  操作部材
６１０Ａ  中心筒
６１１Ａ  枢着点
６１２Ａ  規制部材
６１３Ａ  熱伝導ハウジング
６１３１Ａ  開口端
６１３２Ａ  接触端
６１４Ａ  内筒
６１４１Ａ  収容空間
６１４２Ａ  第１開口
６１４３Ａ  第２開口
６１５Ａ  貫通孔
６２Ａ  第１弾性部材
７Ａ  第２弾性部材
１Ｂ  座体
１１Ｂ  収納空間
１２Ｂ  突出部
２Ｂ  第１導電部材
３Ｂ  第２導電部材
４Ｂ  カンチレバー導電部材
４１Ｂ  銀接点
５Ｂ  過熱破壊部材
６Ｂ  操作ユニット
６１Ｂ  操作部材
６１０Ｂ  中心筒
６１２Ｂ  規制部材
６１３Ｂ  支持熱伝導部材
６１３１Ｂ  位置規制柱
６１３２Ｂ  支持座部
６１４Ｂ  内筒
６１４１Ｂ  収容空間
６１４２Ｂ  第１開口
６１４３Ｂ  第２開口
６１５Ｂ  貫通孔
６２Ｂ  第１弾性部材
７Ｂ  ばね片
８  ハウジング
８Ａ  上ハウジング
８Ｂ  下ハウジング 
８１  コンセント差込口
８１１  活線差込口
８１２  中性線差込口
９  活線導電部材
９１  活線差込片
９１１  活線差込部
９２  活線連接端
１０  中性線導電部材
１０１  中性線差込部
２０  熱破壊式電力切断スイッチ
２０１  第１導電部材
２０２  第２導電部材
【図１】
2020009737.tif 000003
【図２】
2020009737.tif 000004
【図３】
2020009737.tif 000005
【図４】
2020009737.tif 000006
【図５】
2020009737.tif 000007
【図６】
2020009737.tif 000008
【図７】
2020009737.tif 000009
【図８】
2020009737.tif 000010